(57)【特許請求の範囲】
【請求項１】
マスカラ化粧料を塗布する塗布部が、塗布部軸と該塗布部軸に沿って配列された複数の円環状櫛歯を有するマスカラ塗布具であって、
塗布部軸を横からみたときに、塗布部の長手方向中央域を挟んで前方域及び後方域それぞれに位置する円環状櫛歯群が、該中央域に向けて傾斜しており、
前方域及び後方域それぞれに位置する円環状櫛歯群の傾斜方向が反対向きになっており、
中央域から前方域及び後方域それぞれに向かうにつれ、円環状櫛歯の傾斜の程度が徐々に大きくなっており、
塗布部軸を横からみたときに、塗布部軸の上面が、円環状櫛歯の傾斜する方向と反対方向に傾斜しているマスカラ塗布具。
【請求項２】
塗布部軸が、略直線であるか又は凸状に湾曲している請求項１記載のマスカラ塗布具。
【請求項３】
塗布部のうち、円環状櫛歯の傾斜の程度が大きい部位に位置する円環状櫛歯ほど、隣り合う円環状櫛歯の配置のピッチが大きくなっている請求項１又は２に記載のマスカラ塗布具。
【請求項４】
塗布部を水平に支持し、塗布部軸を横からみたときに、該塗布部軸は、中央域が端部域よりも太くなっている請求項１ないし３のいずれか一項に記載のマスカラ塗布具。
【請求項５】
塗布部を水平に支持し、塗布部軸を上からみたときに、該塗布部軸は、中央域が端部域よりも細くなっている請求項１ないし４のいずれかに記載のマスカラ塗布具。
【請求項６】
塗布部の前方域における先端部に、該塗布部の長手方向に延びる突起が複数形成されている請求項１ないし５のいずれかに記載のマスカラ塗布具。
【請求項７】
マスカラ化粧料を塗布する塗布部が、塗布部軸と該塗布部軸に沿って配列された複数の円環状櫛歯を有するマスカラ塗布具を用いてマスカラをまつ毛に塗布する美容のための化粧方法であって、
前記マスカラ塗布具は、塗布部軸を横からみたときに、塗布部の長手方向中央域を挟んで前方域及び後方域それぞれに位置する円環状櫛歯群が、該中央域に向けて傾斜しており、
前方域及び後方域それぞれに位置する円環状櫛歯群の傾斜方向が反対向きになっており、
中央域から前方域及び後方域それぞれに向かうにつれ、円環状櫛歯の傾斜の程度が徐々に大きくなっており、
マスカラ化粧料を保持させた塗布部をまつ毛に当接させて、該塗布部の円環状櫛歯間にまつ毛を挿入し、まつ毛を梳きながらまつ毛にマスカラ化粧料を塗布するに際し、
塗布部の上面側から円環状櫛歯間にまつ毛を挿入し、該塗布部を塗布部軸回りに９０度回転させながらまつ毛にマスカラ化粧料を塗布する化粧方法。
【発明の詳細な説明】
【技術分野】
【０００１】
本発明は、まつ毛にマスカラ化粧料を塗布するための塗布具に関する。
【背景技術】
【０００２】
マスカラ化粧料に求められる効果としては、まつ毛をより太く濃く見せるボリュームアップ効果、より長く見せるロング効果、まつ毛をカールさせて目を大きくはっきりと見せるカールアップ効果、マスカラ化粧料によってまつ毛同士が付着してしまうことを防ぐセパレート効果などがあるが、それらに加えて、まつ毛をまつ毛の根元から広がるように放射状にクセ付けることは、目周りをより美しく魅力的で洗練された外観を与える上で非常に効果的な役割を果たす。これらの効果は、マスカラ化粧料と塗布具との相乗効果で機能を発揮するが、特にまつ毛を放射状に梳くことは塗布具の機能に因るところが大きく、簡単にできる塗布具はこれまでなかった。従来、使用者がまつ毛を放射状に梳く場合は、梳く箇所を部分毎に分けて、それぞれ異なる方向に梳いていたので梳く回数が多くなって面倒であったり、梳いたそれぞれの部分毎ではまつ毛同士は平行なので、まつ毛全体としてみたときに、等間隔のきれいな放射状にならなかったり、若しくはきれいな放射状にするためにはまつ毛を梳く部分を更に細分化して梳かねばならず、多大な時間を必要としていた。
【０００３】
また、まぶたは眼球の曲面に沿って円弧状になっており、一方、１本１本のまつ毛はまぶたの縁にほぼ垂直に生えているので、まつ毛全体では、そのままでも自然と略放射状になっているが、図９に示すように、ディスクが平行に延びる従来の塗布具では、まつ毛を平行にしか梳けないので、放射状の広がりの角度を減少させてしまい、仕上がりの魅力を減退させてしまう不具合があった。
【０００４】
マスカラ塗布具として、樹脂成形によって多数のディスク状櫛歯を形成してなるものが知られている。例えば特許文献１には、合成樹脂製の棒状本体の先端部を、中央がなだらかにくびれた形状に構成し、その先端部の外周に、各独立した凹溝の多数条を長さ方向に並設して塗布部を形成したマスカラ用刷子が記載されている。隣り合う凹溝の間は、棒状本体の周方向に連続して延びる凸条になっている。
【０００５】
また特許文献２及び３には、ブラシ部が、ブラシ棒の先端部に、ディスクを積層したような形状をしている多数の板櫛歯を有するディスクタイプのマスカラブラシが記載されている。
【０００６】
特許文献１に記載の凸条は棒状本体に対して直交する方向に突出している。同様に、特許文献２及び３に記載の板櫛歯も、ブラシ棒に対して直交する方向に突出している。したがって、これらのマスカラブラシをその軸回りに回転させても、隣り合う凸条（板櫛歯）間の距離に変化は生じない。その結果、これらのマスカラブラシを用いてまつ毛を梳いても、まつ毛を放射状に広げるように梳くことはできない。
【先行技術文献】
【特許文献】
【０００７】
【特許文献１】実開昭４７−２０４７６号公報
【特許文献２】特開２００８−５３２６１５号公報
【特許文献３】特開２００８−５３２６１６号公報
【発明の概要】
【発明が解決しようとする課題】
【０００８】
本発明の課題は、前述した従来技術が有する欠点を解消し得るマスカラ塗布具を提供することにある。
【課題を解決するための手段】
【０００９】
本発明は、マスカラ化粧料を塗布する塗布部が、塗布部軸と該塗布部軸に沿って配列された複数の円環状櫛歯を有するマスカラ塗布具であって、
塗布部軸を横からみたときに、塗布部の長手方向中央域を挟んで前方域及び後方域それぞれに位置する円環状櫛歯群が、該中央域に向けて傾斜しており、
前方域及び後方域それぞれに位置する円環状櫛歯群の傾斜方向が反対向きになっており、
中央域から前方域及び後方域それぞれに向かうにつれ、円環状櫛歯の傾斜の程度が徐々に大きくなっているマスカラ塗布具を提供するものである。
【００１０】
また本発明は、前記のマスカラ塗布具を用いてマスカラをまつ毛に塗布する美容のための化粧方法であって、
マスカラ化粧料を保持させた塗布部をまつ毛に当接させて、該塗布部の円環状櫛歯間にまつ毛を挿入し、まつ毛を梳きながらまつ毛にマスカラ化粧料を塗布するに際し、
塗布部の上面側から円環状櫛歯間にまつ毛を挿入し、該塗布部を塗布部軸回りに９０度回転させながらまつ毛にマスカラ化粧料を塗布する化粧方法を提供するものである。
【発明の効果】
【００１１】
本発明によれば、マスカラ塗布具をその軸回りに回転させながらまつ毛を梳くだけの簡単な操作で、まつ毛が放射状に広がった状態になり、その状態下にマスカラ化粧料が塗布されるので、ボリューム感のあるきれいな仕上がりとなる。
【図面の簡単な説明】
【００１２】
【図１】図１は、本発明のマスカラ塗布具の一実施形態を示す斜視図である。
【図２】図２（ａ）は、図１に示すマスカラ塗布具を上からみた図であり、図２（ｂ）は、図１に示すマスカラ塗布具を横からみた図であり、図２（ｃ）は、図１に示すマスカラ塗布具を、塗布部軸の軸線からみた図である。
【図３】図３は、図１に示すマスカラ塗布具における塗布部の要部を拡大して示す模式図である。
【図４】図４は、図１に示すマスカラ塗布具における塗布部の要部を拡大して示す模式図である。
【図５】図５（ａ）及び（ｂ）は、本発明のマスカラ塗布具の別の実施形態における塗布部の要部を拡大して示す模式図である。
【図６】図６は、本発明のマスカラ塗布具の更に別の実施形態における塗布部を上からみた図である。
【図７】図７は、本発明のマスカラ塗布具の更に別の実施形態における塗布部を横からみた図である。
【図８】図８（ａ）ないし（ｃ）はそれぞれ、図１に示すマスカラ塗布具でまつ毛を梳いたときの、まつ毛の広がりを示す模式図である。
【図９】図９は従来の塗布具でまつ毛を梳いたときの、まつ毛の状態を示す模式図である。
【発明を実施するための形態】
【００１３】
以下本発明を、その好ましい実施形態に基づき図面を参照しながら説明する。図１及び図２に示す実施形態のマスカラ塗布具１０は、支持軸１１の先端に、マスカラ化粧料を塗布する塗布部１２を有している。図１及び図２においては、支持軸１１は、塗布部１２との連結部付近しか示されていないが、支持軸１１はその全体が直線の棒状体から構成されている。支持軸１１と塗布部１２とは、樹脂の一体成形によって形成されているか、あるいは別々に製造された支持軸１１と塗布部１２とが、接着剤による接着、嵌合、螺合等の手段によって連結されている。
【００１４】
塗布部１２は、一方向に延びる塗布部軸２０と、該塗布部軸２０に沿って配列された複数の円環状櫛歯２１とから構成されている。塗布部軸２０は、その長手方向を、支持軸１１の長手方向と一致させて、支持軸１１の先端に連結している。塗布部１２は、塗布部軸２０を横からみたときに（つまり、図２（ｂ）に示す方向からみたときに）、塗布部軸２０の長手方向中央域１２Ｃと、該中央域１２Ｃよりも先端側に位置する前方域１２Ｆと、該中央域１２Ｃよりも後端側（支持軸１１との連結部側）に位置する後方域１２Ｒとに大別される。
【００１５】
図２（ｂ）に示すように、塗布部１２における塗布部軸２０は、支持軸１１と同様に、直線状に延びている。以下の説明においては、塗布部軸２０を横からみたときに、該塗布部軸２０における上側の面を上面２０Ａといい、下側の面を下面２０Ｂという。本実施形態における塗布部軸２０は直線状であるが、塗布部軸２０の形状はこれに限られず、例えば上面２０Ａ側に向けて（図２（ｂ）中、上方に向けて）、凸状に緩やかに湾曲していてもよい。塗布部軸がこのように湾曲している場合には、該塗布部軸２０の湾曲の頂部は、上述した中央域１２Ｃの位置とほぼ一致していることが好適である。塗布部軸２０がこのように湾曲していることで、マスカラ塗布具１０を用い、これを下方から上方へ向けて移動させてまつ毛を梳いたときに、塗布部１２がまぶたに沿う状態となるからである。また、マスカラ化粧料を塗布してまつ毛を放射状に広げた（詳細は後述する）あと、塗布具１０を１８０度反転させて、塗布部軸２０のうち、凹状に湾曲している側をまつ毛に押し当てて、マスカラ化粧料が乾燥するまでの間、まつ毛の毛先から中央域部付近を押さえることで、まつ毛が放射状に広がった状態を保持したまま、まつ毛のカールアップ効果が期待できる。
【００１６】
塗布部軸２０の断面形状に特に制限はなく、円形、楕円形、多角形等とすることができる。塗布部軸の太さに特に制限はないが、好ましくは０．５ｍｍから５ｍｍであり、更に好ましくは1〜３ｍｍである。塗布部軸２０の断面形状や太さは塗布部１２のうちの各部位（中央域１２Ｃ、前方域１２Ｆ、後方域１２Ｒ）に応じて任意に変えることができる。
【００１７】
各櫛歯２１は、対向する２つの面を有し、かつ所定の厚みを有する円環の板状体である。この円環は略真円である。そして、円環状の櫛歯２１の略中心位置と塗布部軸２０の軸線とが略一致するように、各櫛歯２１は塗布部軸２０に沿って串刺し状に配列されている。図２（ｂ）に示すように塗布部軸２０を横からみたときに、各櫛歯２１は、塗布部軸２０の上面２０Ａ側から上方に向けて突出している上部櫛歯部２１ａと、塗布部軸２０下面２０Ｂ側から下方に向けて突出している下部櫛歯部２１ｂとを有している。上方櫛歯部２１ａと下方櫛歯部２１ｂの突出の程度は略同じになっている。
【００１８】
各櫛歯２１における２つの面は、いずれも略平面であり、かつ互いに略平行になっている。尤も、各櫛歯２１における２つの面は、このような形態であることを要せず、例えば２つの面がいずれも、櫛歯２１の厚さ方向外方へ膨出する凸曲面であってもよく、逆に櫛歯２１の厚さ方向内方へ湾曲する凹曲面であってもよい。あるいは、２つの面を、平面、凸曲面及び凹曲面のうちの任意の２つの組み合わせにしてもよい。櫛歯２１における面がいずれの形態である場合においても、図２（ａ）に示す方向からみたとき、櫛歯２１は、その面が塗布部軸２０の長手方向と略直交するように配置されている。各櫛歯２１の円環の大きさは同じでもよく、あるいは塗布部１２のうちの各部位（中央域１２Ｃ、前方域１２Ｆ、後方域１２Ｒ）に応じて大きさが異なっていてもよい。各櫛歯２１の厚みは０．１〜２ｍｍであることが好ましく、０．２〜１ｍｍであることがより好ましい。
【００１９】
本実施形態のマスカラ塗布具１０は、円環状櫛歯２１の傾斜状態に特徴の一つを有する。詳細には次のとおりである。塗布部１２の中央域１２Ｃに位置する櫛歯２１Ｃは、図２（ｂ）に示す方向からみたとき、すなわち塗布部軸２０を横からみたときに、該塗布部軸２０の上面２０Ａ及び下面２０Ｂに対して略法線方向に延びている。すなわち、櫛歯２１Ｃと上面２０Ａ及び下面２０Ｂとは略直交している。これに対して、塗布部１２の前方域１２Ｆに位置する櫛歯２１Ｆは、その上部櫛歯部２１ａが、中央域１２Ｃ側へ向くように、該櫛歯２１Ｆの全体が、中央域１２Ｃ側に向けて傾斜している。一方、塗布部１２の後方域１２Ｒに位置する櫛歯２１Ｒは、その上部櫛歯部２１ａが、中央域１２Ｃ側へ向くように、該櫛歯２１Ｒの全体が、中央域１２Ｃ側に向けて傾斜している。したがって、下部櫛歯部２１ｂに着目すると、櫛歯２１Ｆの下部櫛歯部２１ｂは、塗布部１２の先端側を向いている。これとは反対に、櫛歯２１Ｒの下部櫛歯部２１ｂは、支持軸１１の側を向いている。ここでいう傾斜とは、図３に示すように、円環の板状体からなる櫛歯２１の面が、塗布部軸２０の軸線の法線Ｌに対して角度θをなしていることをいう。また、傾斜の程度が大きいとは、角度θが大きいことをいう。
【００２０】
なお、塗布部軸２０の上面２０Ａ及び下面２０Ｂの区別はもともとはなく、上面２０Ａ及び下面２０Ｂは本発明の説明を容易にするための便宜的な表現であり、本来的には櫛歯２１の傾斜方向によって決定されるものである。すなわち、塗布部軸２０を、櫛歯２１が中央域Ｃに向かって内向きに傾斜している面が上になるように水平に支持したときの上側を、便宜的に上と定めたものである。後述のように上瞼のまつ毛にマスカラを塗布する際には、ほぼこの配置で塗布部１２の上側をまつ毛の下側から接触させる。
【００２１】
櫛歯２１（２１Ｃ，２１Ｆ，２１Ｒ）は、塗布部１２の中央域１２Ｃから前方域１２Ｆ及び後方域１２Ｒそれぞれに向かうにつれ、傾斜の角度θが徐々に大きくなっている。つまり櫛歯２１は、その配置位置が中央域１２Ｃから先端側及び後端側に向けて離れるにつれて、該櫛歯２１の上部櫛歯部２１ａが、塗布部軸２０の上面２０Ａに近づいていく。同様に、櫛歯２１は、その配置位置が中央域１２Ｃから先端側１２Ｆ及び後端側１２Ｒに向けて離れるにつれて、該櫛歯２１の下部櫛歯部２１ｂが、塗布部軸２０の下面２０Ｂに近づいていく。傾斜の角度θは、０°＜θ≦７５°の範囲で徐々に増加することが好ましく、特に０°＜θ≦４５°の範囲で徐々に増加することが、まつ毛が放射状に広がったときの美しさや、まつ毛が櫛歯斜面から受ける摩擦力が少なさの面から好ましい。傾斜角度の増分は必ずしも均等である必要はない。また、例えばあえて塗布部軸２０の先端側あるいは根元側の数本の櫛歯の傾斜の角度を大きくして放射状の広がり感を強調するなど、マスカラメイクの表現意図によって角度を設定することができる。櫛歯２１は基本的には、塗布部軸２０の先端側あるいは根元側に向かうにつれて徐々に傾斜角度を増すが、部分的に傾斜角度の増分を減少させるか、又は部分的に傾斜角度を減らしてもよい。そうすることで放射状に広がったまつ毛に粗密を与えることができ、また違ったまつ毛の表現が可能になる。
【００２２】
塗布部１２においては、各櫛歯２１（２１Ｃ，２１Ｆ，２１Ｒ）の周縁を結んで形成される三次元の包絡面が、円柱の側面になるように、各櫛歯２１の大きさ、傾き及び形状等が調整されている。かつ包絡面である円柱の側面に対応する円柱の軸線が、塗布部軸２０の軸線及び支持軸１１の軸線と略一致するようになっている。このような構成になっていることに起因して、本実施形態のマスカラ塗布具１０によれば、まつ毛を各櫛歯２１間に保持したまま塗布部１２を軸線回りに回転させ易くなり、また、まつ毛が櫛歯２１間から意図せず外れて自由な状態になりにくいので、使用者は簡単に手早くマスカラ化粧料を塗布できるという有利な効果が奏される。なお、各櫛歯２１（２１Ｃ，２１Ｆ，２１Ｒ）の周縁を結んで形成される包絡面は、円柱の側面であることを要せず、その他に、回転軸が塗布部軸２０の軸線と一致する略回転楕円体の面（楕円面）であってもよい。また、回転軸が塗布部軸２０の軸線と一致する略回転双曲面（単葉双曲面）であってもよい。
【００２３】
塗布部１２においては、櫛歯２１の傾斜の程度が大きい部位に位置する櫛歯２１ほど、隣り合う櫛歯２１の配置のピッチが大きくなっている。例えば、図４に示すように、塗布部１２の前方域１２Ｆは、中央域１２Ｃよりも櫛歯２１の傾斜の程度が大きいところ、前方域１２Ｆに位置する櫛歯２１Ｆの配置のピッチＰ１と、中央域１２Ｃに位置する櫛歯２１Ｃの配置のピッチＰ２とを対比すると、Ｐ１の方がＰ２よりも大きくなっている。そして、Ｐ１とＰ２とがこのような関係になっていることで、前方域１２Ｆに位置する櫛歯２１Ｆにおける下方櫛歯部２１ｂの先端間の距離Ｄａ１と、中央域１２Ｃに位置する櫛歯２１Ｃにおける下方櫛歯部２１ｂの先端間の距離Ｄａ２とを対比すると、Ｄａ１の方がＤａ２よりも大きくなっている。上方櫛歯部２１ａに関しても同様であり、前方域１２Ｆに位置する櫛歯２１Ｆにおける上方櫛歯部２１ａ間の距離Ｄｂ１と、中央域１２Ｃに位置する櫛歯２１Ｃにおける上方櫛歯部２１ａ間の距離Ｄｂ２とを対比すると、Ｄｂ１の方がＤｂ２よりも大きくなっている。
【００２４】
まつ毛が、傾斜した櫛歯２１の間を櫛歯の先端から根元へと通る際、まつ毛は櫛歯２１の斜面に沿った摩擦力を受ける。この摩擦力を受けると、まつ毛の進行が遅れたり、櫛歯２１の先端付近でまつ毛が櫛歯間から意図せず外れて自由な状態になってしまったり、まつ毛が櫛歯２１を飛び越えて隣の櫛歯２１間に移動して放射状のまつ毛の並び方が乱れたりしてしまうことがある。この不具合は、櫛歯２１の傾斜角度が大きいほど顕著になる。しかし、本実施形態においては、Ｄｂ１の方がＤｂ２よりも大きくなっているので、まつ毛を梳くときに、隣り合う櫛歯２１の間にまつ毛が入りやすくなり、上述の不具合を解消できる。この観点からＤｂ２の値は０．１ｍｍ以上５ｍｍ以下であることが好ましく、Ｄｂ１／Ｄｂ２の値は１以上１０以下であることが好ましい。以上の距離関係及びそれに起因して奏される効果は、後方域１２Ｒについても同様に適用される。
【００２５】
本実施形態においては、塗布部１２の塗布部軸２０は直線状であるが、先に述べたとおり、これに代えて塗布部軸２０を、上方へ向けて凸の湾曲形状にしてもよい。この場合には、例えば図５（ａ）に示すように、塗布部軸２０を横からみたときに、塗布部１２の前方域１２Ｆにおいては、塗布部軸２０の上面２０Ａは、櫛歯２１Ｆの傾斜する方向（図５（ａ）中、矢印Ａで示す方向）と反対方向（図５（ａ）中、矢印Ｂで示す方向）に傾斜している。櫛歯２１Ｆと上面２０Ａとがこのような位置関係になっていることで、マスカラ塗布具１０を用い、これを図５（ａ）中、矢印Ｃで示す方向に向けて（下方から上方に向けて）移動させ、まつ毛を梳くと、まつ毛は、図５（ａ）中、櫛歯２１Ｆの表面及び上面２０Ａに沿って移動する。つまり、同図中、ＥＬ１→ＥＬ２→ＥＬ３という順序で移動する。その結果、まつ毛の梳き始めから梳き終わりの間におけるまつ毛の水平移動量が大きくなり、まつ毛が放射状に広がる効果が一層向上する。この効果は、塗布部１２の後方域１２Ｒにおいても同様に奏される。後方域１２Ｒにおいても、上面２０Ａは、櫛歯２１Ｒの傾斜する方向と反対方向に傾斜しているからである。なお、塗布部１２の中央域１２Ｃにおいては、上面２０Ａと櫛歯２１Ｃとは略直交しているので、まつ毛の梳き始めと梳き終わりとで、まつ毛の広がりの程度に大きな差は生じない。したがって、まつ毛の梳き始めから梳き終わりの間におけるまつ毛の水平移動量は、塗布部１２の先端及び後端に近づくほど大きくなる。
【００２６】
前記の実施形態に代えて、塗布部１２の塗布部軸２０を、図５（ｂ）に示すように、塗布部軸２０は略直線状であるが、塗布部軸２０の上面２０Ａが傾斜している形状としてもよい。本形状においては、円環状櫛歯２１によって仕切られた塗布部軸２０が、円柱ではなく傾いた略截頭円錐（截頭斜円錐）状をなしているか、あるいは略直円錐を、マスカラ塗布具１０軸の軸線に対して傾けて配置し、円環状櫛歯２１に合わせてその頂点を切り取った形状をなしている。塗布部軸２０をこのような形状とすることで、図５（ａ）で説明した効果と同じように、まつ毛をより広い角度に広げることができる。この効果を一層顕著なものとする観点から、図５（ｂ）において、塗布部軸２０の上面２０Ａと水平軸とのなす角度αは０°≦α≦９０°−θとすることが好ましく、所望のまつ毛の広がりの程度に合わせて適宜設定できる。
【００２７】
塗布部軸２０の下面２０Ｂの形状に特に制限はないが、水平であることが、放射状に広がったまつ毛の形を崩さずに、押え付けてカールを固定させることができる点で好ましい。
【００２８】
前記の実施形態に代えて、塗布部１２の塗布部軸２０を、図６に示す方向からみたとき、すなわち塗布部を水平に支持し、塗布部軸２０を上からみたときに、該塗布部軸２０は、中央域が端部域よりも細くなるような形状とすることができる。塗布部軸２０をこのような形状とすることで、塗布部軸２０をまぶたの自然なカーブに適合させることができ、まつ毛を三次元的に自然に広がった形状に仕上げることができる。
【００２９】
更に、前記の実施形態に代えて、塗布部１２の塗布部軸２０を、図７に示す方向からみたとき、すなわち塗布部を水平に支持し、塗布部軸２０を横からみたときに、該塗布部軸２０は、中央域が端部域よりも太くなるような形状とすることができる。このような形状とすることでも、塗布部軸２０をまぶたの自然なカーブに適合させることができ、まつ毛を三次元的に自然に広がった形状に仕上げることができる。
【００３０】
図５（ａ）、図５（ｂ）、図６及び図７の各実施形態は互いに組み合わせることが可能である。特に図６及び図７の形態を組み合わせると、まつ毛を一層三次元的で自然に広がった形状に仕上げることができるので好ましい。
【００３１】
塗布部１２の寸法（塗布部１２を横からみたときの長さ）は、目的とする効果やマスカラ剤の性質によって変わるが、まつ毛全体を放射状に広げる効果の観点から、１５〜４０ｍｍであることが好ましく、２０〜３５ｍｍであることがより好ましい。塗布部１２における櫛歯２１の数は５〜４０本が好ましく、８〜３０本がより好ましい。
【００３２】
以上の構成を有するマスカラ塗布具１０を用いてまつ毛を梳くことで、まつ毛を放射状にきれいに広げることができる。このことを、本実施形態のマスカラ塗布具の使用方法とともに、図８（ａ）ないし（ｃ）を参照しながら説明する。
【００３３】
まず図８（ａ）に示すように、マスカラ化粧料（図示せず）を保持させた塗布部１２をまつ毛に当接させて、該塗布部１２の櫛歯２１間にまつ毛ＥＬを挿入する。まつ毛ＥＬは、１本１本のまつ毛、又は数本が束になった毛束を表している。まつ毛ＥＬの挿入に際しては、塗布部１２のうち、塗布部軸の上面（櫛歯２１間のピッチの最狭部）側からまつ毛ＥＬを円環状櫛歯間に挿入する。本実施形態の場合には、塗布部１２における塗布部軸２０の上面２０Ａ側（図２（ｂ）参照）からまつ毛ＥＬを円環状櫛歯間に挿入する。つまり図２（ａ）に示す方向からまつ毛ＥＬを円環状櫛歯間に挿入する。したがって、図８（ａ）に示す状態は、上体を起こした使用者の頭部を上から下に見おろした視線での状態である（図８（ｂ）及び（ｃ）についても同様である。）。
【００３４】
次に、塗布部１２を、塗布部軸２０回りに回転させる。回転と同時に、マスカラ塗布部１０を上方へ移動させてもよい。塗布部１２における櫛歯２１が傾斜していることに起因して、塗布部１２を塗布部軸２０回りに回転させることで、隣り合う櫛歯２１内に入り込んだまつ毛ＥＬは、傾斜している櫛歯２１に沿って、塗布部軸２０の先端方向及び後端方向に移動していく。その結果、図８（ａ）に示す初期時点に比較して、まつ毛の間隔が大きくなり、放射状に広げられる。図８（ｂ）には、図８（ａ）に示す状態から４５度まで塗布部１２を回転させてまつ毛ＥＬを広げた状態が示されている。更に回転を続行し、図８（ａ）に示す状態から９０度まで塗布部１２を回転させた状態が、まつ毛ＥＬが最も広げられる状態である。この状態を図８（ｃ）に示す。以上の操作を行うことで、放射状に広がった状態のまつ毛ＥＬにマスカラ化粧料が塗布されることになる。その結果、ボリューム感のあるきれいな仕上がりのまつ毛となる。
【００３５】
再び図１及び図２に戻ると、塗布部１２の先端には、塗布部１２の長手方向に延びる突起２２が複数形成されている。錐体突起２２の延びる方向と水平線（支持軸１１の軸線）とのなす角度は０度であるか、あるいは３０度以内の比較的小さい角度である。突起２２は細長い三角形の板状をしている。突起２２は、塗布部軸２０の上面２０Ａから下面２０Ｂの方向に向けて突起列をなして配置されている。図２（ｂ）に示すようにこの突起列２２Ａは２列形成されている。各突起列２２Ａにおいては、突起２２の板面は、塗布部軸２０の上面２０Ａから下面２０Ｂの方向と直交している。
【００３６】
塗布部軸２０を横からみた状態では、図２（ｂ）に示すように、各突起列２２Ａにおいては、塗布部軸２０の上面２０Ａから下面２０Ｂの方向に向かうにつれて、突起２２の先端が、塗布部２０の先端へ向けて張り出している。すべての突起２２を結んで形成される包絡面Ｐ（図２（ｂ）参照）は平面であり、この包絡面Ｐは、櫛歯１２Ｆと同様に、塗布部１２の長手方向中央域に向けて傾斜している。
【００３７】
突起２２は、細かい部分、例えば目頭付近及び目尻付近のまつ毛の部分やまつ毛の本数の少ない部分、例えば下まつ毛の部分にマスカラ化粧料を塗布するのに適している。
【００３８】
マスカラ塗布部１０は、熱可塑性樹脂の成形によって製造することができる。また、櫛歯２１に関しては、成形によって大まかな形状を形成しておき、その後に切削加工等の後加工によって、所望の形状に形成してもよい。更に、櫛歯になるディスク部材と、塗布部軸になる円柱部材との両方に穴を開けておき、２種類の部材を交互に積重ねて、別体の細い針金などでそれらを串刺しにして固定することによって形成してもよい。用いることのできる樹脂は、当該技術分野においてこれまで用いられてきた樹脂と同様のものである。
【００３９】
以上、本発明をその好ましい実施形態に基づき説明したが、本発明は前記実施形態に制限されない。例えば前記実施形態においては、円環状櫛歯２１の中心位置と、塗布部軸２０の軸線との位置が一致するように円環状櫛歯２１が配置されていたが、これに代えて、一部又はすべての円環状櫛歯の中心位置を、塗布部軸２０の軸線から偏倚させてもよい。
【００４０】
また円環状櫛歯２１は、その形状が真円の円環であることを要せず、例えば一部又はすべてが楕円の輪郭を有する円環であってもよい。
【符号の説明】
【００４１】
１０  マスカラ塗布具
１１  支持軸
１２  塗布部
１２Ｃ  中央域
１２Ｆ  前方域
１２Ｒ  後方域
２０  塗布部軸
２１  櫛歯
【図１】
0005727297.tif 000002
【図２】
0005727297.tif 000003
【図３】
0005727297.tif 000004
【図４】
0005727297.tif 000005
【図５】
0005727297.tif 000006
【図６】
0005727297.tif 000007
【図７】
0005727297.tif 000008
【図８】
0005727297.tif 000009
【図９】
0005727297.tif 000010